(57)【特許請求の範囲】
【請求項１】
一面に第一出入口及び第二出入口を有し、他面に第三出入口及び第四出入口を有するケーシングと、
前記第一出入口及び前記第三出入口のいずれか一方を閉口する第一切換ダンパーと、
前記第二出入口及び前記第四出入口のいずれか一方を閉口する第二切換ダンパーと、
前記第一切換ダンパー及び前記第二切換ダンパーを同一平面状に連結するダンパー軸と、
前記ダンパー軸を所定の方向に回動させる形状記憶合金製の第一バネと、
前記ダンパー軸を前記所定の方向とは逆の方向に回動させる第二バネと、
前記ケーシング内の空気の水分を吸着する吸着剤と、
前記ケーシング内の空気を加熱するＰＴＣヒーターと、
前記ケーシング内の空気を導入及び排出する送風機と、
前記ケーシング外部の雰囲気温度を検出する温度センサーと、
前記温度センサーの検出結果に基づき、前記雰囲気湿度が高くなると前記送風機の回転数を上げるように制御する制御器とを備える乾燥装置。
【発明の詳細な説明】
【０００１】
【発明の属する技術分野】
本発明は、静止型吸着除湿エレメントを使う乾燥装置に関するものである。
【０００２】
【従来の技術】
乾燥装置の一例としては、特開平４―１１４７１５号公報に示されたものがあり、これを図１２に示す。図１２は、従来の乾燥装置の断面を示す断面図である。
図１２において、９０は吸着材、９１は電気ヒーター、９２は送風機、９３はダンパー、及び９４は乾燥庫である。
この従来の乾燥装置は、二つのダンパー９３が備えられ、この二つのダンパー９３の切り換えにより、吸着材９０と乾燥庫９４とが結ばれた流通路、若しくは、吸着材９０と乾燥庫９４外の空間とが結ばれた流通路が選択される。
【０００３】
吸着材９０と乾燥庫９４とが結ばれた流通路では、送風機９２により乾燥庫９４内の空気が吸着材９０側に送られる。これにより、乾燥庫９４内の空気の水分が吸着材９０に吸着され、乾燥庫９４内が乾燥雰囲気となる。
また、吸着材９０と乾燥庫９４外の空間とが結ばれた流通路では、送風機９２により乾燥庫９４外の空気が吸着材９０側に送られる。また、電気ヒーター９１が作動する。これにより、吸着材９０の水分が乾燥庫９４外の空間に放湿される。
この従来の乾燥装置は、これらの動作を交互に繰り返し行うことによって、乾燥運転を断続的に行うものである。
【０００４】
また、乾燥装置の他の例としては、特開平７―３１３８２号公報に示されたものがあり、これを図１３に示す。図１３は、従来の乾燥装置を示す斜視図及び断面図である。
図１３において、１００〜１０１はダンパーである。１０２はダンパー軸であり、ダンパー１００〜１０１が取り付けられる。このダンパー軸１０２を回動させることにより、除湿時および再生時の空気の流路が選択される。
【０００５】
また、図１３に示す乾燥装置において、ダンパー軸１０２を回動させる開閉機構について、図１４を用いて説明する。図１４は、従来の乾燥装置の開閉機構を示す斜視図及び断面図である。
図１４において、１０３はウオームホイールであり、ダンパー軸１０２に装着される。１０４はモータである。１０５はウオームであり、モータ１０４に取り付けられる。
このモータ１０４の駆動により、ウオーム１０５は回転し、このウオーム１０５の回転により、ウオームホイール１０３は正逆回転する。このウオームホイール１０３の正逆回転により、ダンパー軸１０２は回転し、２つのダンパー１００〜１０１による開閉動作が行われる。
【０００６】
【発明が解決しようとする課題】
このように、従来の乾燥装置は、２つのダンパー１００〜１０１を駆動させるために、ダンパー軸１０２にウオームホイール１０３を装着する必要があった。また、そのウオームホイール１０３を駆動させるために、ウオーム１０５が装着されたモーター１０４を設ける必要があった。これらのことから、従来の乾燥装置は、複雑で高価なものとなっていた。
本発明は、このような問題点を解消するためになされたものであり、ダンパーの駆動部分が安価である乾燥装置を得ることを目的とするものである。
【０００７】
【課題を解決するための手段】
一面に第一出入口及び第二出入口を有し、他面に第三出入口及び第四出入口を有するケーシングと、第一出入口及び第三出入口のいずれか一方を閉口する第一切換ダンパーと、第二出入口及び第四出入口のいずれか一方を閉口する第二切換ダンパーと、第一切換ダンパー及び第二切換ダンパーを同一平面状に連結するダンパー軸と、ダンパー軸を所定の方向に回動させる形状記憶合金製の第一バネと、ダンパー軸を所定の方向とは逆の方向に回動させる第二バネと、ケーシング内の空気の水分を吸着する吸着剤と、ケーシング内の空気を加熱するＰＴＣヒーターと、ケーシング内の空気を導入及び排出する送風機と、ケーシング外部の雰囲気温度を検出する温度センサーと、温度センサーの検出結果に基づき、雰囲気湿度が高くなると送風機の回転数を上げるように制御する制御器とを備える。
【０００８】
【発明の実施の形態】
実施の形態１．
本発明による乾燥装置の一実施形態について、図１を用いて説明する。図１は本発明の実施形態１の乾燥装置を上部から見た断面図である。
図１において、１は送風機である。２はフィルターであり、送風機１の吸込側に設けられ、不織布等で作られる。３は吸着剤である静止型の吸着除湿エレメントである。この静止型の吸着除湿エレメント３の例としては、セラミックス等の無機繊維にシリカゲル等を、重合反応を利用して結合させたものがある。５は乾燥装置全体のケーシングである。６は通路壁であり、ケーシング５内に設けられる。
【０００９】
なお、吸着除湿エレメント３は、ケーシング５と通路壁６との間に取り付けられる。７は断熱材であり、吸着除湿エレメント３とケーシング５との間、及び吸着除湿エレメント３と通路壁６との間に設けられる。この断熱材７を設けることにより、吸着除湿エレメント３の外周からの空気が漏れることを抑えると共に、吸着除湿エレメント３からの放熱を抑える。
【００１０】
８はダンパー軸である。９は第一切換ダンパーである吸込切換ダンパーであり、ダンパー軸８の一端側に設けられる。なお、吸込切換ダンパー９は、その端部がダンパー軸８に設けられる。１０は第二切換ダンパーである除湿・再生切換ダンパーであり、ダンパー軸８の他端側に設けられる。なお、除湿・再生切換ダンパー１０は、その端部がダンパー軸８に設けられる。１１はプーリーであり、ダンパー軸８のほぼ中央に設けられる。１２は軸受けであり、ケーシング５に設けられる。この軸受け１２により、ダンパー軸８の両端が位置決めされる。
【００１１】
１５は第三出入口である再生給気口であり、ケーシング５に設けられる。１６は第四出入口である再生排気口であり、ケーシング５において再生給気口１５と同一平面に設けられる。
なお、吸込口３２は、ケーシング５において再生給気口１５が設けられている面と隣り合う面に設けられる。
また、吹出口３３は、ケーシング５において吸込口３２と同一平面に設けられる。
そして、乾燥保管庫内の空気から水分を除去する除湿運転時は、吸込口３２と吹出口３３とが開口し、再生給気口１５と再生排気口１６とが閉口する。
また、吸着除湿エレメント３から水分を除去する再生運転時は、吸込口３２と吹出口３３とが閉口し、再生給気口１５と再生排気口１６とが開口する。
【００１２】
１７はバイパス穴であり、通路壁６に設けられる。１８はバイパス通路であり、通路壁６とケーシング５とにより形成される。このバイパス通路１８は、バイパス穴１７により、吸着除湿エレメント３側の通路と連通する。なお、乾燥装置内には、通路壁６とケーシング５により、第一の風路である吸着除湿エレメント３が設けられた通路と、第二の風路である吸着除湿エレメント３が設けられていないバイパス通路１８とが形成される。
【００１３】
１９は再生用ヒーターであり、乾燥装置内の空気を加熱し、吸着除湿エレメント３を再生する。２０は第一バネである形状記憶バネであり、加熱されると形状記憶効果により縮む。２１は第二バネである戻りバネである。
本実施形態の乾燥装置が有する切り換えダンパ９〜１０の可動機構は、ダンパー軸８、プーリー１１、形状記憶バネ２０、及び戻りバネ２１を用いて構成する。
３０は制御器であり、ケーシング５に設けられる。３１は殺菌装置であり、ケーシング５に設けられる。
【００１４】
次に、図１に示す乾燥装置の側面について、図２を用いて説明する。図２は本発明の実施形態１の乾燥装置を側面から見た断面図である。
図２において、３２は第一出入口である吸込口である。３３は第二出入口である吹出口である。
なお、図２において、図１に示す実施形態と同一又は相当の部分には同一符号を付してその説明を省略し、図１と相違する部分について説明した。
【００１５】
次に、図１に示す乾燥装置が有する静止型の吸着除湿エレメント３について、図３を用いて説明する。図３は、静止型の吸着除湿エレメント３の外観を示す外観図である。
図３において、３４は空気を通す通路である。この通路３４は、吸着除湿エレメント３上に、直線的に多数設けられている。また、この通路３４は、コルゲート状に、吸着除湿エレメント３全体に分布する。なお、この吸着除湿エレメント３は、直方体状や立方体状に構成される。
なお、図３において、図１に示す実施形態と同一又は相当の部分には同一符号を付してその説明を省略し、図１と相違する部分について説明した。
【００１６】
次に、図１に示す乾燥装置が有するダンパー軸８、吸込切換ダンパー９、除湿・再生切換ダンパー１０、及びプーリー１１の構成を、図４に示す。
図４は、ダンパー軸８、吸込切換ダンパー９、除湿・再生切換ダンパー１０、及びプーリー１１の構成を示す構成図である。
なお、図４において、図１に示す実施形態と同一又は相当の部分には同一符号を付してその説明を省略した。
【００１７】
次に、図１に示す乾燥装置を縦方向から見たものについて、図５を用いて説明する。図５は本発明の実施形態１の乾燥装置を縦方向から見た断面図である。
図５において、Ａは除湿運転時における切換ダンパー９〜１０の位置である。また、Ｂは再生運転時における切換ダンパー９〜１０の位置である。
なお、図５において、図１に示す実施形態と同一又は相当の部分には同一符号を付してその説明を省略し、図１と相違する部分について説明した。
【００１８】
次に、図１に示す乾燥装置が有する切り換えダンパ９〜１０の可動機構について、図６を用いて説明する。図６は、切り換えダンパ９〜１０の可動機構の構成を示す構成図である。
形状記憶バネ２０は、一端をケーシング５に、他端をプーリー１１又はダンパー軸８に設ける。戻りバネ２１は、一端をケーシング５に、他端をプーリー１１又はダンパー軸８に設ける。
【００１９】
なお、形状記憶バネ２０が設けられるケーシング５の面と、戻りバネ２１が設けられるケーシング５の面とは、互いに対向する面である。また、形状記憶バネ２０が設けられるケーシング５の面と、戻りバネ２１が設けられるケーシング５の面とは、直交していてもよい。つまり、形状記憶バネ２０及び戻りバネ２１は、互いの張力が逆向きとなるように、プーリー１１等に取り付けられる。
なお、図６において、図１に示す実施形態と同一又は相当の部分には同一符号を付してその説明を省略した。
【００２０】
次に、図１に示す乾燥装置が取り付けられた乾燥保管庫について、図７を用いて説明する。図７は本発明の実施形態１の乾燥装置が取り付けられた乾燥保管庫を正面から見た断面図である。
図７において、４０は乾燥装置である。４１は乾燥保管庫である。乾燥装置４０は、この乾燥保管庫４１の上部等に取り付けられる。なお、乾燥保管庫４１内の空気は、吸入口３２を介して乾燥装置４０内に吸引される。また、乾燥装置４０内の空気は、吹出口３３を介して乾燥保管庫４１内に排出される。４２は棚であり、乾燥保管庫４１の内部に設けられる。４３は乾燥物であり、乾燥保管庫４１の棚４２に載置され、保管される。４４は乾燥装置４０に設けられた湿度センサーであり、乾燥保管庫４１内部の湿度を検知する。この乾燥保管庫４１は、主に湿気を嫌う食品を保存するためのものである。この湿気を嫌う食品としては、例えば海苔・昆布等の乾物、せんべい・ビスケット等の菓子類、コーヒー豆等がある。
【００２１】
次に、図７に示す乾燥装置が取り付けられた乾燥保管庫４１の側面について、図８を用いて説明する。図８は本発明の実施形態１の乾燥装置が取り付けられた乾燥保管庫４１を側面から見た側面図である。
図８において、４５はドアであり、乾燥物４３を取り出す為に、乾燥保管庫４１の前面に設けられる。
なお、図８において、図７に示す実施形態と同一又は相当の部分には同一符号を付してその説明を省略し、図７と相違する部分について説明した。
【００２２】
次に、図１〜図８に示す本実施形態の乾燥装置の動作について説明する。
まず、乾燥装置の制御部３０は、湿度センサー４４を用いて、乾燥保管庫４１内の湿度を検知する。そして、乾燥装置４０は、検知された湿度が高くなると除湿運転を始め、該湿度が低くなると除湿運転を停止する。
この除湿運転の時、再生用ヒーター１９には通電されない。このため、形状記憶バネ２０は伸びており、切換ダンパー９〜１０は図５におけるＡの位置にある。なお、切換ダンパー９〜１０がＡの位置に来ることにより、再生給気口１５及び再生排気口１６が閉口し、吸込口３２及び吹出口３３が開口する。
【００２３】
そして、送風機１が運転され、吸込口３２から乾燥保管庫４１内の空気が吸引される。そして、この吸込口３２から吸引された空気は、フィルター２によって塵埃が取り除かれる。このフィルター２によって塵埃が取り除かれた空気は、再生用ヒーター１９及び吸着除湿エレメント３を通過する。この吸着除湿エレメント３を通過した空気は、その水分が吸着除湿エレメント３に吸着される。この水分が吸着除湿エレメント３によって吸着された空気は、吸着除湿エレメント３にの吸着熱により温度が少し上昇し、乾燥した空気となり吹出口３３から乾燥保管庫４１に吹き出される。
【００２４】
なお、フィルター２を通過した空気は、一部、バイパス穴１７からバイパス通路１８を経て、吹出口３３から吹き出される。つまり、除湿運転では、吸着除湿エレメント３を通過した乾燥空気とバイパス通路１８を経たバイパス空気とが混合され、その混合された空気が吹出口３３から乾燥保管庫４１に吹き出される。
なお、吸込口３２から吸引された空気を、全て、吸着除湿エレメント３を経た乾燥空気にしても、吸着除湿エレメント３での圧力損失が大きく、吹出口３３から吹き出される空気の循環風量を増大させることができない。
【００２５】
そこで、吸込口３２から吸引された空気の一部をバイパス空気として乾燥空気に混合することにより、吹出口３３から吹き出される空気全体の圧力損失を抑えることができ、除湿時の循環風量を増大させることができる。また、循環風量を増大させることができるため、乾燥空気を乾燥保管庫４１内の隅々まで送ることができ、乾燥保管庫４１内の乾燥物を湿気から守ることができる。
なお、乾燥空気は乾燥保管庫４１内を循環するものであり、この乾燥空気と乾燥保管庫４１外の空気とは基本的に換気されない。また、乾燥保管庫４１のドア４５の隙間から、わずかではあるが、乾燥空気と乾燥保管庫４１外の空気とが自然換気されることはある。
【００２６】
次に、除湿運転が行われて、吸着除湿エレメント３に所定の水分が吸着され、飽和してその吸着量が減少してきた場合、吸着除湿エレメント３を再生する再生運転を行う。なお、除湿運転から再生運転への切り換えは、制御器３０のタイマーによって切り換えてもよい。また、センサーによって吸着除湿エレメント３の重量等を検出し、その検出結果に基づいてもよい。
そして、再生運転の時、再生用ヒーター１９には通電される。この再生用ヒーター１９への通電により、乾燥装置４０内の空気は、その温度が上昇する。また、再生用ヒーター１９への通電により、形状記憶バネ２０が暖められ、形状記憶効果によって縮む力が発生する。
【００２７】
このように、形状記憶バネ２０が縮むと、プーリー１１が回転し、このプーリー１１と一体のダンパー軸８も回転する。そして、このダンパー軸８が回転することにより、２つの切換ダンパー９〜１０も回転し、図５におけるＢの位置に回転する。なお、切換ダンパー９〜１０がＢの位置に回転することにより、再生給気口１５及び再生排気口１６が開口し、吸込口３２及び吹出口３３が閉口する。このように、吸込口３２及び吹出口３３が閉口して、再生給気口１５及び再生排気口１６が開口することにより、再生運転時の空気の流路が形成される。
【００２８】
このように、流路が形成されたことにより、送風機１が稼動し、再生給気口１５から乾燥保管庫４１外の空気が吸引される。この再生給気口１５から吸引された乾燥保管庫４１外の空気は、フィルター２を通り、再生用ヒーター１９で加熱され、昇温する。この昇温した空気は、吸着除湿エレメント３を通過すると共に、吸着除湿エレメント３を加熱し、吸着除湿エレメント３に吸着されている水分を除去する。この吸着除湿エレメント３を通過した空気は湿気を帯びた湿潤空気となり、再生排気口１６から乾燥保管庫４１外に排気される。このように、吸着除湿エレメント３を通過した空気が湿潤空気となり、乾燥保管庫４１外に排気されることにより、吸着除湿エレメント３は再び水分吸着量を増加させ、再生する。
【００２９】
なお、再生給気口１５から吸引された乾燥保管庫４１外の空気は、フィルター２を通過した後、一部、バイパス穴１７からバイパス通路１８を経た後、再生排気口１６から排気される。つまり、再生運転では、吸着除湿エレメント３を通過した湿潤空気とバイパス通路１８を経たバイパス空気とが混合され、その混合された空気が再生排気口１６から乾燥保管庫４１外に排気される。
なお、再生給気口１５から吸引された空気を、全て、吸着除湿エレメント３を経た湿潤空気にしようとすると、その湿潤空気を排気する時に、再生排気口１６周辺のケーシング５によって冷却され、結露が生じる可能性が高まる。
【００３０】
そこで、再生給気口１５から吸引された空気の一部をバイパス空気として湿潤空気と混合することにより、再生排気口１６から排気される全体の空気の露点温度を下げることができ、排気時に再生排気口１６周辺のケーシング５で冷却されても結露が発生しないようにすることができる。また、結露の発生を抑えたことにより、再度除湿運転に切り換えても、乾燥保管庫４１内を濡らすことなく、乾燥保管庫４１内を衛生的に保つことできる。さらに、乾燥装置４０内への水分の戻りを抑えることができる。
なお、湿潤空気は乾燥保管庫４１外に排出されるのみであり、この湿潤空気と乾燥保管庫４１内の空気とを換気することは行われない。
【００３１】
また、再生運転を所定の時間行ったら、再び除湿運転に切り換えてもよい。なお、再生運転から除湿運転への切り換えは、センサーによって検出された吸着除湿エレメント３の重量等に基づいてもよい。
まず、再生運転から湿潤運転に切り換わると、制御器３０により、再生用ヒーター１９の通電が止められる。すると、乾燥装置４０内の空気の温度が低下する。この乾燥装置４０内の空気の温度が低下すると、形状記憶バネ２０の形状記憶効果がなくなり、また戻りバネ２１の作用により、ダンパー軸８が回転して、図５に示すＡの位置に切換ダンパー９〜１０が移動する。図５のＡの位置に切換ダンパー９〜１０が移動すると、再び除湿運転が始まる。
このように、吸着除湿エレメント３において、吸湿と放湿とが繰り返されることにより、断続的に乾燥保管庫４１内の乾燥動作が行なわれ、乾燥保管庫４１内の乾燥状態が維持される。
【００３２】
このように、本実施形態の乾燥装置における切り換えダンパ９〜１０の可動機構は、２つの切換ダンパー９〜１０を１本のダンパー軸８に取り付け、しかもそのダンパー軸８を可動させる駆動部は１個所で、その駆動部は形状記憶合金の形状記憶バネ２０及び戻りバネ２１の張力を使用しているに過ぎず、ダンパーを駆動させるためにモーターを使用する必要がなく、簡易で安価な可動機構を得ることができる。
【００３３】
実施の形態２．
本発明による乾燥装置の他の実施形態について説明する。本実施形態の乾燥装置は、再生用ヒーター１９にＰＴＣヒーター（正温度係数ヒーター）を用いたものである。このＰＴＣヒーターの特性について図９を用いて説明する。
図９はＰＴＣヒーターの特性を示す特性図である。このＰＴＣヒーターの特性は、一般的にはある温度まではヒーター抵抗値がほぼ一定であり、そのある温度以上になると急峻に該ヒーター抵抗値が上昇する。すなわち、例えば冷却する風量が変化しても、ヒーターの表面温度をほぼ一定温度に保つことができる。
【００３４】
次に、ＰＴＣヒーターにおける風量とヒーター入力との相関について図１０を用いて説明する。図１０はＰＴＣヒーターにおける風量とヒーター入力との相関を示す相関図である。図９に示すようなこのようなＰＴＣヒーターの特性から、図１０に示すように、ヒーターを通過する風量が多くなると、ＰＴＣヒーター素子が冷却されるのでヒーター抵抗値が小さくなる。よって電流が多く流れ、ヒーター入力が大きくなる。
【００３５】
この性質を利用することにより、除湿能力を向上させることができる。
例えば、乾燥保管庫４１のドア４５を開けて乾燥物４３を出し入れすると、乾燥保管庫４１内の雰囲気湿度が高くなる。この時、湿度センサー４４は、乾燥保管庫４１内の雰囲気湿度が高くなったことを検知し、制御器３０によって送風機１の回転数を上げ、除湿・再生風量を増加させる。この時、ＰＴＣヒーターを使用することにより、再生風量が増加すると、ヒーター入力も増加し、再生能力が増強され、除湿能力が向上する。このため、乾燥保管庫４１内の湿度が高くなっても、速やかにその湿度を下げることができ、乾燥保管庫４１内の乾燥物４３を傷めない。また、その風味も損なわない。
【００３６】
なお、再生用ヒーター１９が普通の抵抗線ヒーターである場合には、除湿速度を速めようと特に再生時の送風量を多くしても、ヒーター入力がほとんど変わらないため、再生能力はあまり変わらず、除湿量も大して多くはならない。つまり、乾燥保管庫４１内の湿度が高くても、素早くその湿度を下げることができない。なお、普通の抵抗線ヒーターとは、ニクロム線等で作られたヒーターのことである。
【００３７】
実施の形態３．
本発明による乾燥装置の他の実施形態について説明する。本実施形態の乾燥装置は、乾燥装置４０に殺菌装置３１を取り付けたものである。この殺菌装置３１の例としては、オゾンを発生するオゾナイザーがある。
このオゾナイザーによるオゾンの発生方法について、図１１を用いて説明する。図１１は、オゾンを発生するオゾナイザーの主要構成を示す構成図である。
図１１において、５０は＋極板である。５１は−極板である。５２は誘電体であり、＋極板５０と−極板５１との間に設けられる。なお、−極板５１と誘電体５２との間には放電空隙が設けられる。５３は高電圧発生器であり、＋極板５０と−極板５１との間には高電圧が印可される。なお、オゾンは、放電空隙に高電圧を印可し、その印可された放電空隙に酸素を通すことによって得られる。このようなオゾンの発生方法を無声放電式という。
【００３８】
このオゾナイザーより得られたオゾンは、除湿運転時の乾燥空気に混ぜられる。このように、オゾンと乾燥空気とを混ぜることにより、乾燥保管庫４１内にオゾンが流入し、オゾンの酸化力によって乾燥物４３に付着した細菌を殺すことができる。なお、乾燥保管庫４１に入れる乾燥物４３には最初から細菌が付着している場合があり、この細菌には除湿運転で乾燥保管庫４１内の湿度を低くしても死滅しない菌がある。このため、殺菌装置３１を乾燥保管庫４１内に設けることにより、乾燥保管庫４１内に入れた乾燥物４３に付着していた細菌を死滅させ、乾燥保管庫４１内を衛生的に維持する。
【００３９】
なお、本実施形態において、実施形態１と同一又は相当の部分には同一符号を付してその説明を省略し、実施形態１と相違する部分について説明した。
なお、殺菌装置３１には、紫外線殺菌装置等もある。
また、フィルター２に抗菌材フィルターを用いて、殺菌装置３１に代えてもよい。
【００４０】
【発明の効果】
本発明の乾燥装置は、第一出入口及び第二出入口を介して、空気を導入及び排出するものであり、吸着剤により、乾燥保管庫を乾燥状態に維持する。
【図面の簡単な説明】
【図１】  本発明の実施形態１の乾燥装置を上部から見た断面図である。
【図２】  本発明の実施形態１の乾燥装置を側面から見た断面図である。
【図３】  本発明の実施形態１の乾燥装置が有する静止型の吸着除湿エレメント３の外観を示す外観図である。
【図４】  本発明の実施形態１の乾燥装置が有するダンパー軸８、吸込切換ダンパー９、除湿・再生切換ダンパー１０、及びプーリー１１の構成を示す構成図である。
【図５】  本発明の実施形態１の乾燥装置を縦方向から見た断面図である。
【図６】  本発明の実施形態１の乾燥装置が有する切り換えダンパ９〜１０の可動機構の構成を示す構成図である。
【図７】  本発明の実施形態１の乾燥装置が取り付けられた乾燥保管庫を正面から見た断面図である。
【図８】  本発明の実施形態１の乾燥装置が取り付けられた乾燥保管庫４１を側面から見た側面図である。
【図９】  本発明の実施形態２の乾燥装置が有するＰＴＣヒーターの特性を示す特性図である。
【図１０】  本発明の実施形態２の乾燥装置が有するＰＴＣヒーターにおける風量とヒーター入力との相関を示す相関図である。
【図１１】  本発明の実施形態３の乾燥装置が有するオゾンを発生するオゾナイザーの主要構成を示す構成図である。
【図１２】  従来の乾燥装置の断面を示す断面図である。
【図１３】  従来の乾燥装置を示す斜視図及び断面図である。
【図１４】  従来の乾燥装置の開閉機構を示す斜視図及び断面図である。
【符号の説明】
１  送風機、２  フィルター、３  吸着除湿エレメント、５  ケーシング、６  通路壁、７  断熱材、８  ダンパー軸、９  吸込切換ダンパー、１０  除湿・再生切換ダンパー、１１  プーリー、１２  軸受け、１５  再生給気口、１６  再生排気口、１７  バイパス穴、１８  バイパス通路、１９  再生用ヒーター、２０  形状記憶バネ、２１  戻りバネ、３０  制御器、３１  殺菌装置、３２  吸込口、３３  吹出口、３４  通路、４０  乾燥装置、４１  乾燥保管庫、４２  棚、４３  乾燥物、４４  湿度センサー、４５  ドア、５０  ＋極板、５１  −極板、５２  誘電体、５３  高電圧発生器、９０  吸着材、９１  電気ヒーター、９２  送風機、９３  ダンパー、９４  乾燥庫、１００〜１０１  ダンパー、１０２  ダンパー軸、１０３  ウオームホイール、１０４  モータ、１０５  ウオーム。
【図１】
0003937674.tif 000002
【図２】
0003937674.tif 000003
【図３】
0003937674.tif 000004
【図４】
0003937674.tif 000005
【図５】
0003937674.tif 000006
【図６】
0003937674.tif 000007
【図７】
0003937674.tif 000008
【図８】
0003937674.tif 000009
【図９】
0003937674.tif 000010
【図１０】
0003937674.tif 000011
【図１１】
0003937674.tif 000012
【図１２】
0003937674.tif 000013
【図１３】
0003937674.tif 000014
【図１４】
0003937674.tif 000015